(57)【要約】    【課題】  良好なクッション性が得られ、かつ耐久性に優れるマットを提供する。    【解決手段】  マットカバーにより少なくとも上面、側面が覆われるマット用の基体を有するマットであって、前記マット用の基体は、厚さ方向に多数個の孔が設けられかつスポンジからなるマット本体と、前記孔に挿入されマット用の基体に作用する荷重を支える弾性体と、弾性体を囲んで前記孔に装着される保護筒とからなる主部を有し、かつ保護筒は、弾性体の伸縮に伴い円滑に伸縮でき、かつ縮小に際してのマット本体への弾性体の喰い込みを防止しうる独立した筒体からなり、前記主部は、前記マット本体の少なくとも上面に配され、前記弾性体の端部を支持しその飛出しを押えるとともに該弾性体の反力を分散する合成樹脂からなるシート状体を含み、前記保護筒は、蛇腹状をなし、前記マット用の基体は、前記主部の上面又は下面に配され、クッション性を付与する可撓性のクッション層を含むことを特徴とする。【選択図】  図１
2005110851.tif 000002
【特許請求の範囲】
【請求項１】
マットカバーにより少なくとも上面、側面が覆われるマット用の基体を有するマットであって、
前記マット用の基体は、
厚さ方向に多数個の孔が設けられかつスポンジからなるマット本体と、
前記孔に挿入されマット用の基体に作用する荷重を支える弾性体と、
弾性体を囲んで前記孔に装着される保護筒とからなる主部を有し、
かつ保護筒は、弾性体の伸縮に伴い円滑に伸縮でき、かつ縮小に際してのマット本体への弾性体の喰い込みを防止しうる独立した筒体からなることを特徴とするマット。
【請求項２】
前記主部は、前記マット本体の少なくとも上面に配され、前記弾性体の端部を支持しその飛出しを押えるとともに該弾性体の反力を分散する合成樹脂からなるシート状体を含むことを特徴とする請求項１記載のマット。
【請求項３】
前記保護筒は、蛇腹状をなすことを特徴とする請求項１又は２記載のマット。
【請求項４】
前記マット用の基体は、前記主部の上面又は下面に配され、クッション性を付与する可撓性のクッション層を含むことを特徴とする請求項１〜３のいずれかに記載のマット。
【請求項５】
前記孔は、マット本体の頭側から脚側に至る長辺方向の各位置で、負荷される単位面積当たりの荷重が大きくなるに従い、前記孔の配設ピッチを減じることを特徴とする請求項１〜４のいずれかに記載のマット。
【請求項６】
前記弾性体は、マット本体の各位置で、負荷される単位面積当たりの荷重が大きくなるに従い、バネ定数を大とすることを特徴とする請求項１〜４のいずれかに記載のマット。    
【請求項７】
前記弾性体は、スプリングからなることを特徴とする請求項１〜６のいずれかに記載のマット。
【発明の詳細な説明】
【技術分野】
【０００１】
本発明は、ベッドのマットレスなどに好適に用いられ、弾性体を用いることによりクッション性を高めつつ耐久性を維持しうるマットに関する。
【背景技術】
【０００２】
スポンジで形成したマットは、軽量で折畳みなど変形性が高く、しかもコストが安いため汎用されているが、クッション性に乏しく、又使用によるへたり現象（使用に伴う減厚現象）が生じやすく、このため、スポンジに穿設した貫通孔にスプリングを挿入して、載架荷重を受けることにより、クッション性を向上するとともに、マットのへたりを防止する提案がされている（例えば、特許文献１参照。）。
【０００３】
【特許文献１】特開平８−２２８８９２号公報
【発明の開示】
【発明が解決しようとする課題】
【０００４】
しかしながら、この提案のものでは、荷重が加わりマットが圧縮されると、縮小するスプリング間に、貫通孔内に圧縮されることにより膨出するスポンジが喰い込まれやすく、このときスプリングはスムーズに縮小することができないためクッション性を損なう他、マットの貫通孔の内面周囲が喰い込みの繰り返しにより、小片となって分離しやすく、その結果、クッション性とともに耐久性を損なう。
【０００５】
本発明は、前記したマットが有する問題点を解消し、良好なクッション性が得られ、かつ耐久性に優れるマットの提供を課題としている。
【課題を解決するための手段】
【０００６】
本件請求項１に係る発明は、マットカバーにより少なくとも上面、側面が覆われるマット用の基体を有するマットであって、前記マット用の基体は、厚さ方向に多数個の孔が設けられかつスポンジからなるマット本体と、前記孔に挿入されマット用の基体に作用する荷重を支える弾性体と、弾性体を囲んで前記孔に装着される保護筒とからなる主部を有し、かつ保護筒は、弾性体の伸縮に伴い円滑に伸縮でき、かつ縮小に際してのマット本体への弾性体の喰い込みを防止しうる独立した筒体からなることを特徴とする。
【０００７】
また請求項２記載の発明は、前記主部は、前記マット本体の少なくとも上面に配され、前記弾性体の端部を支持しその飛出しを押えるとともに該弾性体の反力を分散する合成樹脂からなるシート状体を含むことを特徴とする請求項１記載のマットである。
【０００８】
また請求項３記載の発明は、前記保護筒は、蛇腹状をなすことを特徴とする請求項１又は２記載のマットであり、請求項４記載の発明は、前記マット用の基体は、前記主部の上面又は下面に配され、クッション性を付与する可撓性のクッション層を含むことを特徴とする請求項１〜３のいずれかに記載のマットである。
【０００９】
また請求項５記載の発明は、前記孔は、マット本体の頭側から脚側に至る長辺方向の各位置で、負荷される単位面積当たりの荷重が大きくなるに従い、前記孔の配設ピッチを減じることを特徴とする請求項１〜４のいずれかに記載のマットであり、請求項６記載の発明は、前記弾性体は、マット本体の各位置で、負荷される単位面積当たりの荷重が大きくなるに従い、バネ定数を大とすることを特徴とする請求項１〜４のいずれかに記載のマットであり、請求項７記載の発明は、前記弾性体は、スプリングからなることを特徴とする請求項１〜６のいずれかに記載のマットである。
【発明の効果】
【００１０】
本発明は叙上の如く構成しているため、保護筒に囲まれた弾性体は、マット本体に直接触れることがなく、縮小したときにも、マット本体と弾性体との喰い込み、擦れなどを防止でき、これにより負荷される荷重に追従してスムーズに伸縮できる。しかも前記保護筒は、伸縮可能かつ各々独立した筒体からなるため、弾性体は円滑、自在に伸縮し良好なクッション性を発揮しうるとともに、マット本体の各位置は、負荷される荷重に応じてその部位で伸縮でき、全身にわたり快適な寝心地をうることができる。さらに前記のように、マット本体と弾性体との喰い込みがなく、破損を防いで耐久性を向上できる。
【発明を実施するための最良の形態】
【００１１】
以下、本発明の実施の一形態を、図示例とともに説明する。マット１は、マットカバー２で覆われたマット用の基体３を有し、該マット用の基体３は、本形態では、図１、２に示すように、頭側から脚側までを、頭部の基体部３Ａと、肩・背部の基体部３Ｂと、臀部の基体部３Ｃと、腿部の基体部３Ｄと、脚部の基体部３Ｅとの５つの基体部３Ａ〜３Ｅ（総称して基体部３Ｓという）に分割されている。
【００１２】
又前記マット用の基体３が前記基体部３Ａ〜３Ｅ（３Ｓ）に分割される本形態では、前記各基体部３Ｓは、いずれも、マット本体５Ａ〜５Ｅ（総称するときマット本体５という）と、前記マット本体５に穿設した孔４Ａ〜４Ｅ（孔４と総称する）に挿入される弾性体６Ａ〜６Ｅ（総称するとき弾性体６という）と、弾性体６を囲んで前記孔４に装着される保護筒７Ａ〜７Ｅ（保護筒７と総称する）とからなる主部８Ａ〜８Ｅ（主部８と総称する）を具えている。
【００１３】
又マット本体５は、その厚さを５０〜３００ｍｍ程度、本形態では６０〜１４０ｍｍ、例えば８０ｍｍ程度としている。マット本体５はその巾Ｗを、幼児用、シングル、セミダブル，ダブル等と、７００〜２０００ｍｍ程度の範囲で自在に設定できる。さらに、頭側から脚側に至る前記５つの基体部３Ｓを有する本形態においては、図３に示すように、長手方向の長さＬについて、頭部の基体部３Ａのマット本体５Ａの長さＬＡは３００〜４００ｍｍ、例えば３５０ｍｍ、肩・背部の基体部３Ｂのマット本体５Ｂの長さＬＢは４００〜５００ｍｍ、例えば４５０ｍｍ、臀部の基体部３Ｃのマット本体５Ｃと、腿部の基体部３Ｄのマット本体５Ｄとでは、いずれも長さＬＣ，ＬＤが１５０〜２５０ｍｍ程度、例えば２００ｍｍ、脚部の基体部３Ｅのマット本体５Ｅにおいては、長さＬＥは６００〜１０００ｍｍ、例えば８００ｍｍ程度に設定している。なお図３において、頭部の基体部３Ａのマット本体５Ａと肩・背部の基体部３Ｂのマット本体５Ｂとの間、及び臀部の基体部３Ｃのマット本体５Ｃと腿部の基体部３Ｄのマット本体５Ｄとの間には、折畳み電動ベッドのマットレスとして頭部の基体部３Ａが起き上がり、或いは肩・背部の基体部３Ｂと臀部の基体部３Ｃの間で逆Ｖ字状に折り畳む際のクリアランスとして、隙間Ｓが形成されている。また、前記マット用の基体３の分割数とともに、巾、長さは用途に応じて自在に設定しうる。
【００１４】
前記マット本体５は、ポリウレタンフォーム、ポリエチレンフォーム、ゴムスポンジなどの発泡ゴム体、即ちスポンジであって、人が寝ることにより過度に低下せず、かつ前記弾性体６と協働して適当な弾力性を具えさせる。又マット本体５には、内径ｄが、例えば３０〜５０ｍｍ程度かつ厚さ方向に貫通する前記孔４が形成され、又前記弾性体６として、全て同外径のスプリングＳを用いる本形態では、各孔４の内径ｄはともに同径かつスプリングＳの外径よりもやや大径（５〜２０ｍｍ程度大）に形成される。
【００１５】
又前記弾性体６は、本形態では、自由長がマット本体５の厚さの例えば１．１〜１．３倍程度の圧縮バネを用いたスプリングＳからなり、マット用の基体３の弾力性とともに負荷される荷重を支え配分に優れたクッション性を付与する。このため、本形態では、前記孔４は、マット本体３の頭側から脚側に至る長辺方向の各位置で、負荷される単位面積当たりの荷重が大きくなるに従い、前記孔の配設ピッチを減じることにより、就寝時における過度の凹みの発生を抑制し就寝機能を高めている。
【００１６】
即ち、頭側から脚側に至る前記５つの基体部５Ｓを有する本形態において、各マット本体５は、周辺に位置する孔４の中心のマット本体５の端縁からの距離を、いずれも３０〜７０ｍｍ程度、例えば５０ｍｍで一定としている。そして、頭部の基体部３Ａのマット本体５Ａ、腿部の基体部３Ｄのマット本体５Ｄ、脚部の基体部３Ｅのマット本体５Ｅにおいては、巾方向の配設ピッチｐｗ１は、８０〜１２０ｍｍ、例えばいずれも１００ｍｍで一定とし、他の肩・背部の基体部３Ｂのマット本体５Ｂ、臀部の基体部３Ｃのマット本体５Ｃでは、配設ピッチｐｗ２は６０〜１００ｍｍ、例えば８０ｍｍで一定とし、このようにマット本体５に応じて長さ方向の孔４の行数を変化している。
【００１７】
さらに、頭部の基体部３Ａのマット本体５Ａにおいては、巾方向に３列の孔４の列が並び、各孔４間の配列ピッチｐｌＡは１００〜１４０ｍｍ、例えば１２５ｍｍ、肩・背部の基体部３Ｂのマット本体５Ｂでは３〜５列、例えば４列かつ長さ方向両端の側孔４間の配列ピッチｐｌＢ１は１０５〜１２５ｍｍ、例えば１１５ｍｍ、内側の配列ピッチｐｌＢ２は１１０〜１３０ｍｍ、例えば１２０ｍｍとする。又臀部の基体部３Ｃのマット本体５Ｃと、腿部の基体部３Ｄのマット本体５Ｄとでは、各２列かつ孔間の配列ピッチｐｌＣ，ｐｌＤを５０〜１５０ｍｍ、例えば１００ｍｍ程度とする。さらに、脚部の基体部３Ｅのマット本体５Ｅにおいては、５〜１０列、本例では７列であり、両端の各２列の孔間の配列ピッチｐｌＥ１は１０５〜１２５ｍｍ、例えば１１５ｍｍ、内側の交換の配列ピッチｐｌＥ２は１１０〜１３０ｍｍ、例えば１２０ｍｍ程度としている。
【００１８】
このように、前記孔４は、マット本体５の頭側から脚側に至る長辺方向の各位置で、負荷される単位面積当たりの荷重が大きくなるに従い、前記孔の配設ピッチｐを減じる等により変化させている。その結果、例えばベッドのマットレスの場合、その上で横臥する人の体重から負荷される荷重の分布が不均一であるなど、マット用の基体３は、その各位置において、単位面積当りの荷重が変動するときにも、各々のスプリングＳが負荷する荷重と協働して人体に適した各部の沈込みをうることができる。
【００１９】
なお前記孔４は、長辺方向及び幅方向に並ぶことなく、斜め方向に配列し、或いはランダムな方向に配置する場合がある。このとき、隣接する孔４は、単位面積当りの荷重が大きくなるに従い、その隣接する孔４間の配設ピッチを小さく設定することにより、マット用の基体３の各位置の沈込みを調整することができる。なお、配列ピッチの変更に代えて、前記スプリングＳを、マット本体の各位置で、負荷される単位面積当たりの荷重が大きくなるに従い、バネ定数を大とすることもできる。
【００２０】
例えば、単位面積当りの荷重の大きな肩・背部の基体部３Ｂと、臀部の基体部３Ｃと、腿部の基体部３Ｄにおいて、そのバネ定数が、０．３４Ｎ／ｍｍのものを使用し、単位面積当りの荷重の小さな頭部の基体部３Ａと、脚部の基体部３Ｅにおいて、０．２６Ｎ／ｍｍのものを使用するなど、単位面積当りの荷重が大きくなるほど、バネ定数が大きなものを使用する。これにより、スプリングＳに大きな荷重が負荷しても過度に縮小することがなく、マット用の基体３の各位置の沈込みのバランスを保つことができる。
【００２１】
前記保護筒７は、図４、５に示すように、前記マット本体５の孔４に挿入され、前記スプリングＳを囲む筒体２７からなり、ポリプロピレン、ポリエチレン、ポリ塩化ビニル、ポリスチレンなどの合成樹脂を用い、可塑剤を加配して変形性を与えるとともに本形態では蛇腹状をなし、その高さ方向に伸縮しうる。そして前記該筒体２７は、スプリングＳの縮小の際、該スプリングＳの周囲を覆いながら同時に縮小し、圧縮により孔４の内側へ膨らむマット本体５を、縮小するスプリングＳが喰い込むことを防止する。このため、スプリングＳは、負荷される荷重に比例してスムースに伸縮でき、クッション性を保つことができる。しかもマット本体５は、スプリングＳの喰い込みによる破損が防止されるため、耐久性を維持しうる。また、前記筒体２７は、オレフィン系、スチレン系、塩化ビニル系、エステル系などの熱可塑性エラストマーを用いて形成すると、筒体２７自体が弾性を備えるため、スプリングＳのバネ性と相俟ってクッション性を高めることができる。
【００２２】
なお、各孔４に設けられる筒体２７は、相互に分離、独立しているため、他の筒体２７の動きに影響されることなく、スプリングＳの伸縮に伴ってスムースに変形し、これにより前記マット用の基体３は、各位置の負荷に追従した沈込みを生じるため、クッション性が優れる。
【００２３】
前記保護筒７は、図６、７に示すように、外端内周に鍔２４Ａを設けた外筒２５Ａと、該外筒２５Ａの内側にスライド可能に緩やかに嵌り、かつ鍔２４Ｂを設けた内筒２５Ｂとからなる筒体２７を用いることができる。該筒体２７は、内部にスプリングＳを挿入し、該スプリングＳの伸縮に伴い、外筒２５Ａと内筒２５Ｂが相互にスライドし、前記筒体２７が伸縮する。このように本形態の保護筒７は、内筒２５Ｂが外筒２５Ａ内をスライドすることにより上下方向に直線的に伸縮するため、その中に挿入されたスプリングＳが倒れ、又は中間での折曲がりなどを生じることがない点で好ましい。又マット本体５の内周面とスプリングＳとの接触を防止して食い込みを防ぎ、クッション性と耐久性とを向上する。
【００２４】
前記シート状体９は、本形態ではネット体Ｎであり、マット本体５の上下面全面に重ねて設けられ、前記弾性体６の端部を支持することにより、該弾性体６が圧縮された際に反力で前記孔４から飛出すことを阻止するとともに、前記弾性体６の反力を受けてこれを分散することにより、クッション性を高めている。また弾性体６の下端が載置面により支持されるときは、前記ネット体Ｎは、マット本体５の上面にのみ設けることができる。なお前記ネット体Ｎは、ポリエチレン、ポリスチレン、ＡＢＳ樹脂、塩化ビニル樹脂、メラミン樹脂等の合成樹脂を用いたモノフィラ、または撚り糸などのコードを網状に配して交差部を熱溶着、接着剤などにより一体化することにより形成している。
【００２５】
このように、スポンジからなるマット本体５と、マット本体５の孔４に挿入された弾性体６と、弾性体６を囲む保護筒７と、シート状体９とからなる主部８が、各マット基体毎に形成される。
【００２６】
又前記主部８は、その上面及び下面にクッション層１０を積層してマット用の基体３Ｓを構成している。該クッション層１０は、前記ネット体Ｎで分散された弾性体６の反力を、前記ネット体Ｎの外側で受け、これを更に分散することにより、クッション性を高めている。またクッション層１０は、ポリウレタンフォーム、ポリエチレンフォーム、ゴムスポンジなどのスポンジを用いて形成され、可撓性を備える。なお本明細書でクッション層１０が有する可撓性とは、弾性体６の伸縮に伴い上下動するマット用の基体３の表面の動きに追従して弾性的に伸縮、変形する性質をいう。またクッション層１０は、その厚さが、例えば７〜１５ｍｍ程度に形成され、マット用の基体３の上面にのみ設けることもできる。
【００２７】
前記クッション層１０は、ネット体Ｎに全面又は部分的に接着すると、該クッション層１０の位置ズレが防止できるため、クッション層１０によるクッション性が安定する点で好ましい。さらに、クッション層１０は、予めネット体Ｎと接着して用いると、マット用の基体３を組立てる工程の作業性が高まるとともに、該接着性能の信頼性がアップする点で好ましい。
【００２８】
前記マットカバー２は、本形態では、マット用の基体３の上面、側面及び下面を覆う袋状をなし、前記頭部の基体部３Ａ、肩・背部の基体部３Ｂ、臀部の基体部３Ｃ、腿部の基体部３Ｄ、及び脚部の基体部３Ｅ毎に袋状に形成されている。なお、前記基体部３Ｓは、マットカバー２で直接覆っているが、内カバーを被せ、その上にマットカバー２を重ねて覆うこともできる。また、図８に示すように、頭部の基体部Ａを覆う頭部カバー２ａと肩・背部の基体部Ｂを覆う肩・背部カバー２ｂとは、上繋ぎ２２を介して連結し、図１０に示すように、臀部の基体部３Ｃを覆う臀部カバー２ｃと腿部の基体部３Ｄを覆う腿部カバー２ｄとは、下繋ぎ２３を介して連結している。また図９に示すように、前記肩・背部の基体部３Ｂを覆う肩・背部カバー２ｂと臀部の基体部３Ｃを覆う臀部カバー２ｃとは、上面側で連続して繋がり、図１１に示すように、腿部の基体部３Ｄを覆う腿部カバー２ｄと脚部の基体部３Ｅを覆う脚部カバー２ｅとは、下面側で連続して繋がっている。これにより、本発明のマット１は、頭部の基体部３Ａ、肩・背部の基体部３Ｂ、臀部の基体部３Ｃ、腿部の基体部３Ｄ、及び腿部の基体部３Ｅの相互間で、所定方向に折曲り可能に構成され、図１６（Ａ）に示すように、逆Ｖ字状の折畳みが可能、かつ図１６（Ｂ）に示すように、図示されない公知の支持機構により、頭側から脚側に亘り複数箇所で折曲りの支持が可能な、折畳み電動ベッド２１のマットレスとして使用される。
【００２９】
なお、前記マットカバー２は、綿、麻などの植物繊維、レーヨン、ポリエステル、ビニロンなどの化学繊維を用いた布地で縫製され、またマット用の基体３の上面と側面とを覆うボックス形状に形成しても良い。
【００３０】
図１２、１３に示すマット１は、マット本体５の孔４に装着された円筒蛇腹状の保護筒７に、円柱状のクッション体Ｋからなる弾性体６を挿入したマット用の基体３を具える。前記クッション体Ｋは、その外径が前記マット本体５の孔４の内径よりやや小径に形成され、マット本体５の厚さと略同じ自由高さを有する。そして前記クッション体Ｋは、クロロプレンゴム、エチレンプロピレンゴムなどのゴムスポンジ、オレフィン系熱可塑性エラストマー、エチレン酢酸ビニル共重合樹脂（ＥＶＡ）などを用いるほか、マット本体５に使用する密度２２Ｋｇ／ｍ3 のウレタンフォームに対して、例えば３０Ｋｇ／ｍ3 程度の高密度のウレタンフォームを使用することもよい。マット本体５とクッション体Ｋは、双方とも荷重が掛かると横に膨らみ、しかも表面の摩擦係数が大きいため、荷重が負荷して反撥弾性の相違から沈み込みの挙動が相違するとき表面が相互に擦れ、この繰返しにより破損が生じ易い。しかし弾性体６は保護筒７に囲まれるため、荷重負荷時に横への膨らみと、マット本体５との接触が阻止され、これによりマット本体５との擦れを生じることがなく、荷重に追従してスムースに伸縮し、破損が発生しない。
【００３１】
前記マット用の基体３は、その上下面を覆う可撓性のクッション層１０を具え、マット本体５とクッション体Ｋの反撥弾性の違いによる沈み込みの差を吸収してクッション性を高めている。また、クッション体Ｋの前記孔４からの飛出しを押えその反力を分散するために、前記マット本体５とクッション層１０の間にポリエチレンなど合成樹脂からなるネット体（図示せず）を介装することもよい。そして前記マット用の基体３は、マットカバー２により覆われている。
【００３２】
図１４に示すマット１は、マット本体５に形成された断面矩形の孔４に、角筒蛇腹状の保護筒７を介し、角柱状のクッション体Ｋからなる弾性体６を挿入したものである。角柱状のクッション体Ｋは、大判のクッション材料を縦横矩形に切り出して簡単に、しかも低コストで製造できる点で好ましい。
【００３３】
１５図に示すマット１は、蛇腹状の保護筒７内にクッション片Ｋ１を多数充填し、弾性体６を形成したものであり、クッション片Ｋ１の充填密度により弾性率を調整できる点で好ましい。前記クッション片Ｋ１は、表面がランダムに凹凸する塊状に形成されるほか、球状としてもよく、クロロプレンゴム、エチレンプロピレンゴムなどのゴムスポンジ、オレフィン系熱可塑性エラストマー、エチレン酢酸ビニル共重合樹脂（ＥＶＡ）、例えば３０Ｋｇ／ｍ3 程度の高密度のウレタンフォームを用いて形成される。またクッション片Ｋ１は、ゴム製の中空ボールを用いることもできる。
【００３４】
前記本発明のマット１は、図１６に示すように、ベッドのマットレスとして装着される場合、前記マットカバー２の上に、更にベッド用カバー体２６で被覆される。また、前記マット１は、本発明の一実施形態を例示するものであって、本発明何らこれに限定されるものではなく、この他各種の変形が本発明の権利範囲に含まれる。
【図面の簡単な説明】
【００３５】
【図１】本発明の一実施の形態を例示する一部切欠斜視図である。
【図２】そのＡ−Ａ断面図である。
【図３】マット本体の平面図である。
【図４】スプリング及び保護筒の一実施の形態を例示する縦断面図である。
【図５】その一部切欠き斜視図である。
【図６】保護筒の異なる実施形態を例示する縦断面図である。
【図７】その一部切欠き斜視図である。
【図８】マットカバーで覆われた頭部の基体部と肩・背部の基体部との連続部の拡大図である。
【図９】その肩・背部の基体部と臀部の基体部との連続部の拡大図である。
【図１０】その臀部の基体部と腿部の基体部との連続部の拡大図である。
【図１１】その腿部の基体部と脚部の基体部との連続部の拡大図である。
【図１２】本発明の異なる実施の形態を例示する一部切欠斜視図である。
【図１３】その要部斜視図である。
【図１４】本発明の異なる実施の形態を例示する要部斜視図である。
【図１５】本発明の更に異なる実施の形態を例示する要部斜視図である。
【図１６】ベッドのマットレスとして装着した状態を例示し、（Ａ）は折れ曲がり状態を例示する正面図であり、（Ｂ）は折畳み状態を例示する正面図である。
【符号の説明】
【００３６】
１      マット
２      マットカバー
３      マット用の基体
４      孔
５      マット本体
６      弾性体
７      保護筒
７Ａ      筒体
８      主部
９      シート状体
１０      クッション層
Ｓ      スプリング
【図１】
2005110851.tif 000003
【図２】
2005110851.tif 000004
【図３】
2005110851.tif 000005
【図４】
2005110851.tif 000006
【図５】
2005110851.tif 000007
【図６】
2005110851.tif 000008
【図７】
2005110851.tif 000009
【図８】
2005110851.tif 000010
【図９】
2005110851.tif 000011
【図１０】
2005110851.tif 000012
【図１１】
2005110851.tif 000013
【図１２】
2005110851.tif 000014
【図１３】
2005110851.tif 000015
【図１４】
2005110851.tif 000016
【図１５】
2005110851.tif 000017
【図１６】
2005110851.tif 000018